(57)【要約】【課題】移動可能であっても、棚板に載置した物品が落下することを防止する。【解決手段】棚板支持スタンド１は、脚部材２ａに立設した支柱３間にパネル体５を取り付けた什器本体を有する。各支柱３の係止孔に支持ブラケット１４の係止爪部を係止させ、支持ブラケット１４は壁部１６と底部１７を断面略Ｌ字状に形成する。両側の底部１７上に電子機器等の物品を載置させる棚板１５を設けた。壁部１６は棚板１５より高さが高く、棚板１５の両側に対向する側縁部１５ｃと前縁部１５ｂの一部にも延びて設けた。対向する壁部１６の前縁部１５ｂの一部に設けた前部壁部１６ａの間に間隙１８を設けた。棚板１５の後縁部１５ａと什器本体のパネル体５との間に電子機器の配線を挿通させる空間部１９を設けた。【選択図】図３
2016086894.tif 000002
【特許請求の範囲】
【請求項１】
立設された什器本体に取り付けた支持具と、
前記支持具によって支持されていて電子機器等の物品を載置する棚板と、
前記棚板の両側の側縁部及び前縁部の一部に亘ってそれぞれ連続して配設されていて前記棚板より高い壁部と
を備えたことを特徴とする棚板支持什器。
【請求項２】
前記棚板の後縁部と前記什器本体との間に空間部が形成されている請求項１に記載された棚板支持什器。
【請求項３】
前記壁部は前記棚板の後縁部の一部にも設けられている請求項１または２に記載された棚板支持什器。
【請求項４】
前記棚板の前縁部において、両側に設けた前記壁部の間に間隙が形成されている請求項１から３のいずれか１項に記載された棚板支持什器。
【請求項５】
前記棚板の前縁部において、両側に設けた前記壁部の間には前記壁部より高さが低く前記棚板より高い前部低壁が設けられている請求項１から３のいずれか１項に記載された棚板支持什器。
【請求項６】
前記壁部は前記棚板に設けられている請求項１から５のいずれか１項に記載された棚板支持什器。
【請求項７】
前記壁部は支持具に設けられている請求項１から５のいずれか１項に記載された棚板支持什器。
【発明の詳細な説明】
【技術分野】
【０００１】
本発明は、オフィスや公共施設等の執務室や会議室等で使用される什器に取り付けて電子機器等の物品を載置する棚板を備えた棚板支持什器に関する。
【背景技術】
【０００２】
オフィスや公共施設等の執務空間では、電子機器等の物品を載置するための棚板が設けられている場合が多い。こうした棚板を支持する支持什器として、所定間隔を開けた複数の支柱のスリットに支持ブラケットの係止爪をそれぞれ係止させ、これらの支持ブラケットによって棚板の下面を支持するようにしたものが一般的であり、例えば特許文献１や２等に開示されている。これらの支持什器によれば、簡易かつ安価な構造で棚板を確実に支持できる。
【０００３】
また、オフィスや公共施設等の執務空間で使用される什器では、使用する場所を移動させるため基部にキャスターを設けたものが多い。移動可能な什器に取り付けられる棚板として、載置物品等の落下防止構造を設けることが望ましかった。
こうした要望に鑑み、例えば特許文献３に記載された什器では、仕切り壁に沿って配設した背板と前方に突出させた棚板と、背板の上端と棚板の先端を連結して斜め方向に延びるロッドとを備え、棚板の基部を折り曲げて係止させる背板のフックとを備えている。これによって強度を確保し、棚板上に載置された物品の側方への落下を斜めのロッドで防止している。
【先行技術文献】
【特許文献】
【０００４】
【特許文献１】特許第３４１６８１１号公報
【特許文献２】特許第４１１９１９３号公報
【特許文献３】特許第４１００８８８号公報
【発明の概要】
【発明が解決しようとする課題】
【０００５】
しかしながら、上述した特許文献３では、什器の棚板に物品の載置や取り出し等の作業を行う際に、棚板の前後方向に物品を落下させてしまうおそれがあった。また什器を移動させる際にも移動時や停止時等に棚板上の物品等が慣性等で前後方向に落下するおそれがあった。
更には、棚板上に電子機器を載置した場合には、電子機器の電力供給や通信等に用いる配線の設置や連結等を什器が妨げない構造が求められていた。
【０００６】
本発明は、このような課題に鑑みて、移動可能であっても、棚板に載置した物品が落下することを防止するようにした棚板支持什器を提供することを目的とする。
【課題を解決するための手段】
【０００７】
本発明による棚板支持什器は、立設された什器本体に取り付けた支持具と、支持具によって支持されていて電子機器等の物品を載置する棚板と、棚板の両側の側縁部及び前縁部の一部に亘ってそれぞれ連続して配設されていて棚板より高い壁部とを備えたことを特徴とする。
本発明による棚板支持什器によれば、棚板の両側の側縁部と前縁部の一部に壁部をそれぞれ設けたため、棚板支持什器の移動時等に棚板に載置した電子機器等の物品が棚板の側縁部や前縁部から落下することを側縁部と前縁部の一部に延びる壁部によって阻止することができる。しかも、棚板上に例えばプロジェクターやＤＶＤプレーヤ等の電子機器を載置した場合においても、両側の壁部は前縁部の一部にのみそれぞれ延ばして設けたため、例えばプロジェクターの投影光やリモコンの電波や電子機器から突出する部品等が前縁部に設けた壁部に干渉することがなく、什器としての使い勝手が良好である。
【０００８】
また、棚板の後縁部と什器本体との間に空間部が形成されていることが好ましい。
棚板の後縁部と什器本体との間に空間部を形成したため、棚板に電子機器等を配設した場合にその配線を空間部を通して下方向に配設できる。そのため、配線を棚板の後縁部側で処理することが可能になり、什器としての体裁が良好である。
【０００９】
また、壁部は棚板の後縁部の一部にも設けられていてもよい。
棚板の後縁部の一部にも壁部を延ばして設けたため、棚板の後縁部と什器本体との間の空間部に電子機器等の物品が落下することを防止できる。
【００１０】
また、棚板の前縁部において、両側に設けた壁部の間に間隙が形成されていてもよい。
棚板の両側の側縁部から前縁部に延びる壁部の間は間隙とされているため、棚板に載置した電子機器を駆動させたり投影させたりしても電子機器の作動部品や投影光や操作用の電波等が壁部と干渉する不具合を起こすことがなく、しかも電子機器等の物品が棚板の前縁部から落下することを壁部で防止できる。
【００１１】
また、棚板の前縁部において、両側に設けた壁部の間には壁部より高さが低く棚板より高い前部低壁が設けられていてもよい。
棚板の前縁部において両側の壁部の間に前部低壁を設けたため、壁部の間隙から電子機器等の物品が落下したり干渉したりすることを防止できる。
しかも、プロジェクター等の電子機器を棚板の上で投影したとしても、前縁部の壁部と壁部の間は高さが低い前部低壁が設けられているため、投影光が干渉したりすることがなく、また電子機器の作動部品が前方に突出したりリモコンの電波を発信したりしても壁部や前部低壁と干渉することはない。
【００１２】
また、壁部は棚板に設けられていてもよい。
壁部が棚板と一体に形成され、または別体で取り付けられている場合、単純な構成で棚板に壁部を設置できる。しかも、壁部が棚板から立設されているので、支持具の取り付け状態に関わらず物品の落下を確実に防止できる。
【００１３】
また、壁部は支持具に設けられていてもよい。
壁部が棚板を支える支持具に設けられている場合、支持具と別体に形成された場合と比較して部品点数が少なく低廉で単純な構成によって棚板に壁部を設置できる。
【発明の効果】
【００１４】
本発明による棚板支持什器によれば、棚板の両側の側縁部と前縁部の一部に壁部を設けたため、棚板支持什器の移動時等に棚板に載置した電子機器等の物品が棚板の側縁部や前縁部から落下することを側縁部と前縁部の一部に延びる壁部によって阻止することができる。
しかも、棚板上にプロジェクター等の電子機器を載置した場合においても、棚板の前縁部に設けた一部の壁部が投影光や操作用電波や突出する部品等と干渉することがなく、什器としての使い勝手が良好になる。
【図面の簡単な説明】
【００１５】
【図１】本発明の第一実施形態による棚板支持スタンドの側面図である。
【図２】図１に示す棚板支持スタンドの正面図である。
【図３】図１に示す棚板の平面図である。
【図４】棚板と支持ブラケットを備えた棚板ユニットの側面図である。
【図５】本発明の第二実施形態による棚板支持スタンドの平面図である。
【図６】図５に示す棚板の正面図である。
【図７】図６に示す棚板のＡ−Ａ線断面図である。
【図８】第二実施形態による棚板支持スタンドの棚板ユニットの変形例を示す正面図である。
【発明を実施するための形態】
【００１６】
以下、本発明の実施形態による棚板支持スタンドを、図１から図７を参照して説明する。
本発明の第一実施形態による棚板支持スタンド１は、オフィスや公共施設の執務室や会議室等で用いられるものである。図１から図３に示す棚板支持スタンド１において、床面上に設置される脚体２の上部には一対の支柱３が支持部材として上方に向かって平行に配設されており、一対の支柱３の間にはその上部と下部に梁部４ａ、４ｂが連結されている。また、一対の支柱３間にはその表裏面にパネル体５が取り付けられている。これらは什器本体を構成する。
また、支柱３は例えば断面角筒状に形成されており、その適宜高さ位置に棚板１５を備えた棚板(天板)ユニット７が取り付けられている。
なお、本第一実施形態による棚板支持スタンド１において、図１及び図２に示す棚板ユニット７を取り付ける側の面を前面または表面といい、これに対向する側の面を裏面または後部というものとする。
【００１７】
図１及び図２に示す脚体２は、例えば直線状に形成された一対の脚部材２ａが２本の連結部材２ｂによって連結されている。各脚部材２ａの長手方向両端部下側にはキャスター８がそれぞれ設置され、棚板支持スタンド１を移動可能としている。そして、２本の連結部材２ｂ間には、配線収容箱９が設けられている。各脚部材２ａの長手方向後部側に偏った位置にそれぞれ支柱３が立設されている。
図２に示すように、各支柱３には前面にスリット形状の係止孔１１が上下方向に所定間隔で複数形成されている。各パネル体５は図１に示すように支柱３の内側壁面に固定されたねじ１２に係止部５ａで係止されているか、ねじ１２で直接固定されている。
【００１８】
次に図１から図３により、棚板ユニット７について詳細に説明する。
棚板ユニット７は、各支柱３の係止孔１１に係止させられて略水平に保持される一対の支持ブラケット１４と、これら一対の支持ブラケット１４に固定保持された棚板１５とで構成されている。棚板１５は例えば四角形板状であり、図３に示すように、パネル体５側の面である後縁部１５ａ、これに対向する面である前縁部１５ｂ、両側面である一対の側縁部１５ｃとを有している。
【００１９】
また、一対の支持ブラケット１４は略対称な形状を有しており、ここでは一方の支持ブラケット１４で代表して説明する。即ち、一方の支持ブラケット１４は、図３に示すように、棚板１５の一方の側縁部１５ｃに当接すると共に前面側で湾曲して前縁部１５ｂの一部に当接する壁部１６を有し、更に棚板１５の底面の一部を支える底部１７とで断面視略Ｌ字状に一体形成されている。壁部１６は棚板１５よりも高さが高く、棚板１５に載置した電子機器を含む各種の物品の落下を防止する落ち止め部を構成する。
なお、両方の支持ブラケット１４、１４において、壁部１６における側縁部１５ｃから前側に延びて湾曲して前縁部１５ｂに当接する部分をそれぞれ前側壁部１６ａというものとする。棚板１５の前縁部１５ｂにおいて、図２及び図３に示す両側の壁部１６の前側壁部１６ａ，１６ａの間は中央部における壁面のない間隙１８を構成する。
【００２０】
そして、図４において、各壁部１６の基端側は高さが次第に増大する係止爪部２０を形成し、その端部には上下に突部を形成する第一係止爪２０ａ、下側に湾曲する第二係止爪２０ｂ、第三係止爪２０ｃを有している。これら第一〜第三係止爪２０ａ、２０ｂ、２０ｃはそれぞれ係止孔１１に嵌挿されて係止され、支持ブラケット１４、１４と棚板１５をそれぞれ支持する。
そして、各支持ブラケット１４，１４は底部１７で棚板１５にねじ１２で固定されている。また、支柱３間のパネル体５と棚板ユニット７の後縁部１５ａとの間に所定幅の空間部１９が形成され、配線挿通空間を構成する。そのため、棚板ユニット７の棚板１５に電子機器等を載置した際、その配線は空間部１９を通して下方に配設することができる。
【００２１】
本第一実施形態による棚板支持スタンド１は上述の構成を有しており、その取り付け方法について説明すると、棚板１５の両側の側縁部１５ｃ、１５ｃにそれぞれ支持ブラケット１４，１４を取り付けて底部１７をねじ１２で棚板１５に固定する。そして、一体化した棚板ユニット７を一対の支柱３の各係止孔１１に斜め上側から第一係止爪２０ａの上側の爪を挿入し、棚板ユニット７を水平方向に回動することで第一係止爪２０ａだけでなく、第二係止爪２０ｂ、第三係止爪２０ｃをそれぞれ係止孔１１に挿入して係止できる。こうして一対の支柱３に棚板ユニット７を取り付けた棚板支持スタンド１を組み立てることができる。
【００２２】
次に本第一実施形態による棚板支持スタンド１の使用方法について説明する。
例えば、図２に示すように、棚板ユニット７の棚板１５の上に電子機器としてプロジェクター２１を載置する。プロジェクター２１は棚板ユニット７の両側の壁部１６が棚板１５より高いために位置ずれ等を起こしても側面から落下することなく保持される。
また、棚板支持スタンド１を執務室や会議室等に移動させる際、棚板支持スタンド１を停止させた時に棚板１５上のプロジェクター２１が慣性等で前方にわずかに移動したとしても、棚板ユニット７の両側の壁部１６の前側壁部１６ａ，１６ａに当接し、棚板１５の間隙１８から前方に落下することを防止できる。
【００２３】
そして、プロジェクター２１で投影するためには、その配線は棚板１５の後縁部１５ａとパネル体５との間の空間部１９を通して下方に垂下させる。そして、配線のプラグを図示しないコンセントやタップ等に差し込むことで通電できる。しかも、プロジェクター２１の投影に際し、棚板１５の両側の壁部１６は前側壁部１６ａ，１６ａが前縁部１５ｂの両端部にしかなく、その中央部が間隙１８を形成するから、投影光を遮ることがない。
【００２４】
また、棚板ユニット７の棚板１５上に載置する電子機器として、例えばＤＶＤプレーヤーを設置した場合、ＤＶＤを挿脱するトレー等の作動部品が前方に飛び出したとしても間隙１８に突出するので、壁部１６の前側壁部１６ａに干渉することもない。
また、棚板ユニット７の棚板１５上に載置した電子機器を前方からリモコンで操作する場合でも、棚板１５の前縁部１５ｂの中央に間隙１８が形成されているため、電波を壁部１６で遮断することを防ぐことができる。
【００２５】
上述のように本第一実施形態による移動可能な棚板支持スタンド１によれば、棚板ユニット７の棚板１５の両側縁部１５ｃに前縁部１５ｂまで延びる壁部１６を設けたため、棚板１５に載置した電子機器や他の物品の落下を防止できる。しかも、電子機器に接続された配線を棚板１５とパネル体５との間の空間部１９を通して下方に垂下させるため、配線を棚板１５の後部で処理できて、什器としての体裁が良好である。
また、棚板ユニット７の棚板１５上に電子機器としてプロジェクター２１やＤＶＤプレーヤ等を載置した場合でも、壁部１６の前側壁部１６ａ，１６ａ間の中央に間隙１８を形成したから、壁部１６が投影光や作動部品等と干渉することが無く、またリモコン等を前方から操作する際に壁部１６によって電波を遮断されることもない。そのため、棚板ユニット７の棚板１５に載置した電子機器等の物品の使い勝手を良好なものにすることができる。
【００２６】
また、一対の支持ブラケット１４は、前部に前側壁部１６ａを有し後部に支柱３に固定される係止爪部２０を有している壁部１６と、壁部１６の下端から棚板１５を支える底部１７とを備え、左右の底部１７によって棚板１５を支えるので、簡単な構成で安価に形成することができる。
しかも、壁部１６が棚板ユニット７の支持ブラケット１４に形成されているので、底部１７上に棚板１５を載置するだけでよく、構成が簡単で物品の落下を確実に防止できる。
【００２７】
なお、本発明は上述の第一実施形態による棚板支持スタンド１に限定されることはなく、本発明の要旨を変更しない範囲で適宜の変更や置換等が可能であり、これらはいずれも本発明に含まれる。以下に、本発明の他の実施形態や変形例等について説明するが、上述した第一実施形態と同一または同様な部品や部材等には同一の符号を用いて説明を行う。
【００２８】
次に、本発明の第二実施形態による棚板支持スタンド２５について図５から図７により説明する。
本第二実施形態による棚板支持スタンド２５では、棚板１５を支持する一対の支持ブラケット２６と、棚板１５の両側縁部１５ｃ、１５ｃに設けた壁部２７及び底部２８を備えた一対の落ち止め部２９とを有する棚板ユニット７を備えている。
【００２９】
支持ブラケット２６は、棚板１５の底面を支える断面略Ｌ字状の基部３１と、基部３１の長手方向後端部（裏面側）に設けていて第一係止爪２０ａ、第二係止爪２０ｂ、第三係止爪２０ｃを備えた係止爪部２０とを有している。支持ブラケット２６は第一係止爪２０ａ、第二係止爪２０ｂ、第三係止爪２０ｃを支柱３の各係止孔１１に係止することで支持されている。
支持ブラケット２６の基部３１は棚板１５の底面に沿って形成された第一基部３１ａと、第一基部３１ａに垂直に形成された第二基部３１ｂとを有しており、第二基部３１ｂは係止爪部２０と同一面状に形成されている。そして第一基部３１ａは棚板１５にねじ止め固定されている。
【００３０】
各落ち止め部２９は、一体形成された壁部２７及び底部２８が棚板１５の側縁部１５ｃだけでなく前縁部１５ｂの一部と後縁部１５ａの一部とにかけて湾曲して延びている。壁部２７はその前縁部１５ｂに重なる部分を前側壁部２７ａ、後縁部１５ａに重なる部分を後側壁部２７ｂというものとし、平面視略コの字状に形成されている。しかも、壁部２７は棚板１５よりも高い高さに設定され、棚板１５に載置された物品が落下することを防止できる。
【００３１】
棚板１５の両側の壁部２７は前縁部１５ｂに設けた各前側壁部２７ａの間に壁部２７を設けない間隙１８が形成されており、後縁部１５ａに設けた各後側壁部２７ｂの間にも壁部２７を設けない間隙３３が形成されている。
また、底部２８は壁部２７の形状に応じて平面視略コの字状に形成されている。そして、底部２８はねじ１２によって棚板１５の底部に固定されている。
しかも、支持ブラケット２６は略コの字状の落ち止め部２９の内側に設置されているため、壁部２７の前側壁部２７ａ間の間隙１８と後側壁部２７ｂ間の間隙３３間に配設されている。棚板ユニット７の棚板１５の後縁部１５ａとパネル体５との間の空間部３４は棚板ユニット７に載置する電子機器の配線を下方に垂下させる配線挿通空間を構成する。
【００３２】
本第二実施形態による棚板支持スタンド２５は上述の構成を備えているから、棚板支持スタンド２５を組み立てるには、まず、棚板１５の両側縁部１５ｃに落ち止め部２９をそれぞれ取り付けて底部２８から棚板１５にねじ１２で固定する。次に、棚板１５の両側の落ち止め部２９の間で棚板１５の底部に一対の支持ブラケット２６を取り付けて第一基部３１ａをねじ１２で棚板１５に固定することで、棚板ユニット７を組み立てる。
そして、一対の支持ブラケット２６の係止爪部２０の第一係止爪２０ａを支柱３の係止孔１１に挿入して棚板ユニット７を水平方向に回転し、第二係止爪２０ｂ、第三係止爪２０ｃも合わせて係止孔１１に係止させる。これによって、棚板支持スタンド２５を形成できる。
【００３３】
上述のように本第二実施形態による棚板支持スタンド２５によれば、上述した第一実施形態による作用効果に加えて、次の効果を奏する。
本実施形態による棚板支持スタンド２５は、一対の壁部２７に前側壁部２７ａだけでなく後側壁部２７ｂも設けたため、棚板１５の前側だけでなく後側における配線挿通空間の空間部３４に物品が落下することを防止できる。
また、落ち止め部２９の壁部２７が支持ブラケット２６とは別個に形成されているために、支持ブラケット２６の取り付け状態に関わらず、棚板ユニット７に載置した物品の落下を確実に防止できる。しかも、棚板ユニット７の幅は一対の支柱３に係止する一対の支持ブラケット２６の幅より大きいため、より大型の棚板ユニット７を設置できる。
【００３４】
なお、図８は上述した第二実施形態の変形例を示すものであり、上述した実施形態では壁部２７の前側壁部２７ａの間には間隙１８が形成されているが、本変形例では、間隙１８に前側壁部２７ａより高さの低い前部低壁３６が形成されている。前部低壁３６によって、両側の前側壁部２７ａ同士を連結している。
これによって、棚板ユニット７の棚板１５に載置した電子機器等の物品が棚板１５から落下することをより確実に防止できる。しかも、棚板１５に電子機器としてプロジェクター２１を載置した場合でも、前部低壁３６よりも高い位置で投影光が照射されるために前部低壁３６が投影光と干渉することがない。同様に、ＤＶＤプレーヤーの作動部品やリモコンの赤外線電波等と干渉することも防止できる。
また、両側の後側壁部２７ｂの間にも、後側壁部２７ｂより高さの低い後部低壁を設けてもよい。さらに、第一実施形態における前側壁部１６ａの間にも比較的高さの低い前部低壁を形成してもよい。
【００３５】
また、上述した各実施形態では、棚板ユニット７において棚板１５の両側縁部１５ｃ、１５ｃに設ける各壁部１６、２７を左右対称に設けたが必ずしも対称である必要はない。例えば両壁部１６、２７の各２つの前側壁部１６ａ、２７ａや後側壁部２７ｂを異なる長さに設定してもよい。
また、支持ブラケット２６の基部３１は少なくとも第一基部３１ａと第二基部３１ｂの一方を設けていれば棚板１５を支持できる。
【００３６】
なお、上述した実施形態において、支持ブラケット２６と別個に設けた落ち止め部２９は棚板１５と別体に設けたが、棚板１５と一体に形成してもよい。
また、上述した各実施形態において、棚板１５を四角形平板状のテーブルで構成したが、必ずしも平板状のテーブル形状でなくてもよく、電子機器等の物品を載置できて対向する側縁部と前縁部の一部に少なくとも壁部１６，２７を形成できる構成を有していればよい。
なお、棚板支持スタンド１，２５は棚板支持什器を構成し、支持ブラケット１４、２６は支持具を構成する。
【符号の説明】
【００３７】
１、２５  棚板支持スタンド
２  脚体
３  支柱
５  パネル体
７  棚板ユニット
１４、２６  支持ブラケット
１５  棚板
１６、２７  壁部
１６ａ，２７ａ  前側壁部
１７  底部
１８、３３  間隙
１９、３４  空間部
２０  係止爪部
２１  プロジェクター
２７ｂ  後側壁部
３１  基部
３６  前部低壁
【図１】
2016086894.tif 000003
【図２】
2016086894.tif 000004
【図３】
2016086894.tif 000005
【図４】
2016086894.tif 000006
【図５】
2016086894.tif 000007
【図６】
2016086894.tif 000008
【図７】
2016086894.tif 000009
【図８】
2016086894.tif 000010